(57)【要約】【課題】比較的長い耐用期間を有する、巾着網漁の操業において使用する締括環の提供。【解決手段】締括綱に巾着網を連結する締括環が開示される。構造上、締括環は、開口を形成するフレームを含み、２つのローラが開口をまたいで取り付けられる。構築されると、両ローラと両ローラの間のフレームの第１及び第２の側部とが締括綱を受ける通路の周囲に周縁部を形成する。重要なことは、フレームの第１側部の遠位ローラに隣接した一部分が、摩耗を低減するための表面硬化部を含むことである。また、締括環は、フレームの第２側部の一部分として枢動的に取り付けられたケーブル解除アームと、ケーブル解除アームの自由端部をフレームに係合するスリーブと、スリーブを適所に保持するロック部とを含む。【選択図】図２Ａ
2010088431.tif 000002
【特許請求の範囲】
【請求項１】
深海での漁の操業の際に締括綱を用いて巾着網をすぼめるための、前記巾着網の係留綱と係合可能である締括環において、該締括環が、フレーム、遠位ローラ、近位ローラ、ケーブル解除アーム、スリーブ、およびスリーブ・ロック手段を有し、
前記フレームは、平面を規定し、開口を形成する伸張形状を有し、第１側部及び第２側部によって連結された近位端部及び遠位端部を有し、
前記遠位ローラは、前記開口をまたいで前記第１側部と前記第２側部とを連結し、
前記近位ローラは、前記開口をまたいで前記第１側部と前記第２側部とを連結し、前記両ローラ及び前記両側部が、前記締括綱を受ける通路の周囲に周縁部を形成し、前記フレームの摩耗を低減するために前記第１側部に前記遠位ローラに隣接して表面硬化部が配置され、
前記ケーブル解除アームは、前記第２側部の一部分として枢動的に取り付けられて、片持ち式にされ、前記締括綱が前記通路から出入りする動きを前記周縁部が阻止するように枢動可能且つ操作可能であり、前記フレームに取り付けられた枢動ピン並びに第１端部及び第２端部を備えた枢動部材を含み、前記枢動部材が前記平面に対して横方向に動くように前記第１端部が前記枢動ピンに枢動可能に取り付けられ、
前記スリーブは、遠位端部及びフレア形状の近位端部を有し、前記フレームと選択的に係合するために前記枢動部材を滑動可能に受けるチャネルが前記遠位端部と前記近位端部との間に形成され、前記チャネルに対して横方向の開口部及び前記横方向の開口部から前記遠位端部まで傾斜した表面を備える切欠きが形成され、前記枢動部材の動きを妨げるように前記スリーブの前記遠位端部が前記フレームと係合する延伸位置を有し、前記スリーブの前記フレア形状の近位端部が前記枢動部材の前記第１端部に載る後退位置を有し、
前記スリーブ・ロック手段が、前記スリーブを延伸位置に保持するように前記フレームに滑動可能に取り付けられ、前記フレームによって規定される溝穴、及び前記溝穴によって滑動的に受けられ、前記スリーブの前記横方向の開口部と係合するように前記溝穴から延在可能であり、前記溝穴から延在するように付勢されるピンを備え、前記スリーブが前記延伸位置まで動かされると、前記ピンを前記横方向の開口部と位置合わせするように、前記切欠きの前記傾斜した表面が前記ピンを自動的に押下げるようになっている、締括環。
【請求項２】
前記締括環と前記締括綱との間の摩擦を低減するために、前記フレームの前記第１側部に前記遠位ローラに隣接して設けられた側部ローラをさらに備え、該側部ローラが、前記遠位ローラに対して横向きになっている、請求項１に記載された締括環。
【請求項３】
前記スリーブが長手方向軸線を規定し、前記スリーブが前記長手方向軸線に対して実質的に直角をなす平面を形成する遠位端面で終端し、前記切欠きが前記遠位端面に形成される、請求項１に記載された締括環。
【発明の詳細な説明】
【技術分野】
【０００１】
本発明は、漁業に使用される巾着網の装備に関するものである。より具体的には、本発明は、漁網を締括ケーブル又は締括綱に連結する締括環に係るものである。とりわけ、本発明は、締括綱が複数の締括環を介して引かれて巾着網を閉じ、巾着網に捕獲された魚を回収する巾着網漁の操業に有用であるが、これに限定されるものではない。
【背景技術】
【０００２】
商業漁業において、巾着網漁として知られる漁法は、有効且つ広く使用されている技術である。この方法は概念的には単純である。巾着網又は網は、一端に浮力装置（例えば浮子）を、他端に重量装置（例えば錘）を取り付けられる。巾着網がおよそ円状に展開されると、巾着網の重りを付けた側端部が沈み、巾着網が水中に本質的に鉛直状に吊るされる。巾着網の回収のために、締括綱が、締括環として知られる複数の連結部によって巾着網の重りを付けた側端部に取り付けられる。締括綱が漁船上の漁師によって締められると、巾着網の重りを付けた側端部が共に引かれて巾着網の中に魚を囲い込む。こうしてすぼめられた重りを付けた側端部が持ち上げられ、漁船に向かって引かれる。同時に、援船が巾着網の浮かせられた側端部を回収し、引き入れる。このようにして、巾着網が回収される際に魚が巾着網の中に捕獲される。
【０００３】
巾着網の回収の際、締括綱は、締括環との相互作用によって、巾着網をすぼめること、及び、巾着網を漁船に向かって引くことの両方に使用される。容易に想像できるように、この作業の際に締括綱と締括環との間に発生する力は非常に大きくなり得る。実際、この力は、締括綱及び締括環の表面の両方に、摩擦によるかなりの侵食及び摩耗を引き起こし得る。最終的に、締括環の完全な破損及び締括綱の摩損が起きて、締括綱が網にからまる原因となる。いずれにしても、操業は危うくなり、締括環は交換が必要となるであろう。
【０００４】
現在好まれている漁場の多くは西太平洋に位置しているため、商業漁業領域の最近の開発が、締括環の摩耗の問題をさらに悪化させている。西太平洋における巾着網漁の操業は、しばしば食用魚がより深場に群れる原因となる西太平洋の変温層（サーモ・クライン）よりも深場での巾着網の展開を要する。その結果、巾着網の展開に際して、巾着網を回収するのに必要とされる力（例えば締括綱と締括環との間の力）が大幅に増加する。その結果として、世界の他の海洋において使用されているような標準の締括環は、通常、西太平洋での使用には適さない。
【発明の概要】
【発明が解決しようとする課題】
【０００５】
上記の内容を考慮して、本発明は、海洋のより深場において効率的な巾着網漁の操業ができるようにするため、及び、深さにかかわらず、巾着網漁の操業において使用される締括環の耐用寿命を延ばすために、締括環の摩耗を大幅に低減する必要性を認識する。したがって、本発明の目的は、比較的長い耐用期間を有する、巾着網漁の操業に使用する締括環を提供することである。本発明の別の目的は、巾着網の回収作業の際に締括綱が締括環を介して引かれる際の締括環の摩擦による摩耗を低減する、巾着網漁の操業用の締括環を提供することである。本発明の別の目的は、締括環の中へ締括綱を挿入すること、又は締括環から締括綱を引き抜くことを容易にする、巾着網漁の操業に使用する締括環を提供することである。本発明の別の目的は、取付け及び使用が容易であり、製造が比較的容易であり、比較的コスト効率がよい、巾着網漁の操業用の締括環を提供することである。
【課題を解決するための手段】
【０００６】
本発明では、深海での漁の操業の際に、締括綱を用いて巾着網をすぼめるように、締括環が巾着網の係留綱と係合するように設けられる。重要なことは、この締括環が表面硬化インサートの使用によって摩耗に耐えるように構成されることである。また、この締括環は、使用の際の締括綱の挿入及び除去を容易にする。さらに、この締括環はロック・ピンの自動的な使用をもたらす。
【０００７】
構造上、締括環は、平面を規定し、開口を形成する伸張形状のフレーム（枠）を有する。フレームは、２つの側部によって連結された２つの端部からなると考えられる。本発明の目的のために、２つのローラが、開口をまたぐことによって両側部を連結する。結果として、ローラ及び両側部が、締括綱を受ける通路の周囲に周縁部を形成する。締括綱によって引き起こされる両側部の摩耗を低減するために、両側部は表面硬化部を含む。代替として、又はさらに、締括綱との摩擦を低減するために側部ローラが両側部に埋め込まれてもよい。
【０００８】
また、締括環は、一方の側部の一部分としてフレームに枢動的に取り付けられたケーブル解除アームを含む。操作上、ケーブル解除アームは、片持ち式にされ、締括綱が通路から出入りするように動くことを周縁部が阻止するように枢動可能になっている。本発明では、ケーブル解除アームは、枢動アーム及びスリーブを含む。構造上、枢動アームは、枢動ピンによってフレームに取り付けられた端部を有する。さらに、枢動アームはスリーブに係合するキーガイドを形成する。具体的には、スリーブは枢動アームを受けるチャネルを形成する。ボルトが、チャネルをまたぎ、枢動アームとスリーブとの間に滑り係合をもたらすようにキーガイドに受けられる。さらに、スリーブは、枢動時にケーブル解除アームの全範囲での動きを容易にするために、枢動ピンに載ることのできるフレア形状の端部を含む。
【０００９】
また、スリーブは、チャネルに連結する横向きの開口部を有する。スリーブが延伸されると、フレームの一部分がチャネルの中に受けられる。重要なことは、スリーブがフレームの一部分の上で滑動できるように、ロック・ピンが押下可能であることである。スリーブがその完全に延伸された構成に達すると、ロック・ピンが横向きの開口部の中へ延在し、スリーブを適所にロックする。締括環の使用を簡単するために、スリーブは、スリーブの延伸の際にロック・ピンを係合して自動的に押下する切欠きが設けられる。
【００１０】
本発明の新規な特徴、並びに本発明自体は、その構造及び操作の両方に関して、添付の説明と併せて、同じ符号が同じ部品を示す添付図面から最もよく理解されるであろう。
【図面の簡単な説明】
【００１１】
【図１】巾着網漁の操業に従事している漁船の上面図。
【図２Ａ】係留綱及び締括綱と係合され、ケーブル解除アームが閉鎖構成にあることを示す、締括環の好ましい実施例の上面斜視図。
【図２Ｂ】ケーブル解除アームが開位置にある図２Ａの締括環の上面斜視図。
【図２Ｃ】図２Ｂの締括環の側面斜視図。
【図３Ａ】図２Ａ〜図２Ｃに示される締括環のスリーブの斜視図。
【図３Ｂ】図３Ａのスリーブの断面図。
【図４】ローラと締括環のフレームとの間の連結部を示す断面図。
【発明を実施するための形態】
【００１２】
図１は、符号１０で示される複数の締括環を使用して操業している巾着網漁の上面俯瞰図である。図示のとおり、締括環１０は、巾着網漁船１６によって行われる漁の操業の際に、巾着網１２と締括綱１４とを連結する。本発明の目的のために、締括綱１４は、ケーブル又はロープのいずれかであってよいことを理解されたい。より具体的には、締括環１０は、係留綱１８を用いて巾着網１２に取り付けられ、係留綱１８は、鎖２０によって巾着網１２に取り付けられている。締括綱１４の様々な実施例と同様に、係留綱１８は、ケーブル、ロープ又は鎖であってよい。さらに、巾着網１２の一方の側を水面又は水面の近くに保持する浮力をもたらすために、浮子２２が巾着網１２に連結される。同時に、鎖２０及び締括環１０は、巾着網１２を鉛直方向に向けるための錘の働きをする。結果として、巾着網１２は魚の群れを取り囲むように配置される。魚が取り囲まれると、魚は、巾着網１２をすぼめて回収することによって捕獲できる。これには、締括綱１４と複数の締括環１０との相互作用が必要となる。
【００１３】
図２Ａには、個々の締括環１０のより詳細な斜視図が示される。図２に示すように、締括環１０は、通常、締括綱１４を係留綱１８に連結するのに有効である任意の形状からなり得るフレーム２４を備える。図２に示すように、好ましい締括環１０は、実質的に伸張形状である。また、締括環１０は硬化鋼から作製されることが好ましく、摩擦による摩耗に耐えるのに十分な硬さでなければならない。さらに、締括環１０の部材は、腐食の影響を最小限にするために、互いに、及び巾着網漁の操業の他の構成要素の材料と化学的に適合したものでなければならない。
【００１４】
図２Ａをさらに参照すると、フレーム２４は、近位端部２６及び遠位端部２８を含むことが分かる。さらに、２つの側部３０及び３２が、開口３４を画定するように端部２６と端部２８とを連結する。図２Ａに示すとおり、締括環１０は、側部３０と側部３２とを連結して開口３４をまたぐ近位ローラ３６を含む。また、締括環１０は、側部３０と側部３２とをさらに連結する遠位ローラ３８を含む。この構造において、側部３０、３２及びローラ３６、３８が、締括綱１４を受ける通路４２の周囲の周縁部４０を形成することが分かる。さらに、近位端部２６及び近位ローラ３６が、係留綱１８を受ける開口部４４を形成する。通常、すぼめる操作の際には、締括綱１４が、遠位ローラ３８及び遠位ローラ３８に隣接する側部３０、３２に沿って載せられる。したがって、締括環１０は、遠位ローラ３８に隣接する両方の側部３０、３２に沿って表面硬化部４６が設けられる。本発明の目的のために、表面硬化部４６は、ＭｃＫａｙ社製のＴｕｂｅ  Ａｌｌｏｙ２４０−Ｏなどの強度及び耐摩耗性の改善された少なくとも１層の金属層からなる。
【００１５】
図２Ａに示すように、近位ローラ３６は円筒形である。さらに、遠位ローラ３８は、実質的に円筒形であるが、遠位ローラ３８と締括綱１４とのより効率的な転がり接触を容易にするガイドを形成するように、その中央に向かってわずかなテーパを含む。さらに、各ローラ３６、３８は、使用の際、実質的に自由に回転し、その結果、摩擦による摩耗を低減するように、フレーム２４に連結される。
【００１６】
図２Ｂでは、締括環１０の図示の実施例は、側部３０上で回転するように取り付けられた側部ローラ３９を含む。構造上、側部ローラ３９は、ローラ３６、３８の回転軸に対して実質的に直角をなす回転軸線を有する。
【００１７】
図２Ｂ及び図２Ｃと図２Ａとを相互参照すると、締括環１０は、フレーム２４の側部３２に沿って片持ち式のケーブル解除アーム５０を含むことが示される。構造上、片持ち式のケーブル解除アーム５０は、端部５４及び端部５６を備えて形成される枢動アーム５２を含む。図２Ｃに示すように、フレーム２４は、フレーム２４に対して片持ち式にされた延伸部５８を含む。さらに、枢動アーム５２は、ピン５９によって延伸部５８に枢動可能に取り付けられる。この係合状態によって、枢動アーム５２は、図２Ａに示される閉鎖構成５０’から図２Ｂ及び図２Ｃに示される開放構成５０”へと枢動する際に、フレーム２４の側部３０から離れることができる。図示のとおり、枢動アーム５２は、フレーム２４の側部３０を離れることができ、枢動アーム５２が近位ローラ３６に実質的に平行になるまで近位ローラ３６の方へ内向きに枢動することができる。枢動アーム５２が開放構成５０”まで枢動されると、周縁部４０が途切れて、締括綱１４が通路４２から出入りするように動くことができることが理解されるであろう。
【００１８】
さらに、ケーブル解除アーム５０は、フレア形状の近位端部６２及び遠位端部６４を有するスリーブ６０を備える。図３Ａ及び図３Ｂを参照すると、スリーブ６０の構造がより容易に理解できるであろう。図示のとおり、スリーブ６０は、近位端部６２から遠位端部６４まで軸線６８に沿って延在するチャネル６６を形成する。図２Ａ〜図２Ｃに見られるように、チャネル６６は枢動部材５２を滑動可能に受ける。図３Ａに示すように、スリーブ６０は、その遠位端部６４において、軸線６８に対して実質的に直角をなす表面７２を備えた端面７０を有する。図示のとおり、切欠き７４がスリーブ６０の端面７０に形成される。図３Ｂを参照すると、切欠き７４は、端面の表面７２と約４５度の角度を形成する傾斜した表面７６を含むことが分かるであろう。
【００１９】
図３Ａ及び図３Ｂに見られるように、スリーブ６０はまた、チャネル６６に対して横向きの開口部７８を形成する。重要なことは、この横向きの開口部７８が、下記に詳述されるように切欠き７４と軸線方向に位置合わせされていることである。さらに、スリーブ６０は、図２Ａ〜図２Ｃに示すようにスリーブ６０を枢動アーム５２と係合するボルト８２を受ける開口８０を含む。具体的には、枢動アーム５２は、ボルト８２を滑動的に受けるキーガイド８３を形成する。図３Ｂでは、スリーブ６０のフレア形状の近位端部６２が内径Ｄ１を有し、他方、スリーブ６０の残りの部分は内径Ｄ２有しており、Ｄ１＞Ｄ２であることが分かるであろう。
【００２０】
図２Ａを再び参照すると、スリーブ６０は、遠位端部６４がフレーム２４と係合する延伸位置６０’にあることが示されている。具体的には、フレーム２４は、ケーブル解除アーム５０が閉鎖構成５０’にあり、スリーブ６０が延伸位置６０’にあるときにチャネル６６内に受けられる当接部材８４（図２Ｂに示す）を含む。結果として、スリーブ６０は、当接部材８４の周囲に延伸されると、ケーブル解除アーム５０の枢動可能な動きを妨げる。さらに、締括環１０は、スリーブ６０を延伸位置６０’にロックする能力を有する。
【００２１】
図２Ｂに示すとおり、締括環１０は、当接部材８４にロック・ピン８６を有する。具体的には、ロック・ピン８６は、当接部材８４に形成される溝穴８８に配置され、溝穴８８から外向きに付勢される。ケーブル解除アーム５０が閉じられた後、スリーブ６０は、当接部材８４と係合するように延伸され得る。スリーブ６０を延伸する際、切欠き７４の傾斜面７６が、ロック・ピン８６に接触し、ロック・ピン８６を自動的に押下する。スリーブ６０が完全に延伸されると、ロック・ピン８６は、スリーブ６０の横方向の開口部７８に達し、この開口部７８を介して延在する。結果として、ロック・ピン８６がスリーブ６０を延伸位置６０’に保持する。
【００２２】
スリーブ６０がロック・ピン８６から外されて、後退位置６０”まで動かされると、スリーブ６０のフレア形状の近位端部６２が、枢動アーム５２の端部５４に載る。結果として、スリーブ６０は、枢動アーム５２の枢動する能力と干渉しない。これによって、枢動アーム５２は、近位ローラ３６に対して実質的に平行になるまで枢動でき、通路４２から締括綱１４を外すことが容易になる。
【００２３】
ここで図４を参照すると、ローラ３６（又は３８）のフレーム２４への連結が示されている。図示のとおり、フレーム２４は、外側面９０及び内側面９２を有すると考えられる。ローラ３６との連結のために、ねじ山付きの穴９４が、側部３０の外側面９０から、側部３０の内側面９２を介して延在する。さらに、ねじ山付きの穴９４は、他方の側部３２の内側面９２を通過し、側部３２内で終端する。構造上、ローラ３６は、穴９４の中に受けられ、使用の間、適所に固定された状態に留まるねじ山付きの軸９６を含む。また、ローラ３６は、固定された軸９６を中心に回転するブッシュ９８を含む。図示のとおり、締括環１０は、封止して軸９６の汚染を防止するようにねじ山を係合するプラグ１００をさらに含む。また、フレーム２４は、ねじ山付きの穴９４から側部３２の外側面９０まで延在する排水用の開口１０２を形成する。
【００２４】
本明細書に示され、詳細に開示された特定の締括環は、本発明の目的を完全に達成可能であり、本明細書に上述された利点を提供するが、これは、本発明の現在好ましい実施例を単に示すものであり、添付の特許請求の範囲に規定される以外、本明細書に示された構造又は構成の詳細に対する限定はまったく意図されないことを理解されたい。
【図１】
2010088431.tif 000003
【図２Ａ】
2010088431.tif 000004
【図２Ｂ】
2010088431.tif 000005
【図２Ｃ】
2010088431.tif 000006
【図３Ａ】
2010088431.tif 000007
【図３Ｂ】
2010088431.tif 000008
【図４】
2010088431.tif 000009
【外国語明細書】
2010088431000001.pdf